【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
従業員が従業員ワークステーションに位置する間に、前記従業員の健康を監視するためのシステムであって、前記従業員ワークステーションおよび健康監視サーバを備え、
前記従業員ワークステーションが、
従業員コンピュータ、ならびに
前記従業員ワークステーション全体にわたって配置された複数のバイオメトリックセンサおよびバイオメカニカルセンサであって、前記従業員のバイオメトリック特性およびバイオメカニカル特性を感知し、前記従業員の前記バイオメトリック特性および前記バイオメカニカル特性を示す対応する健康データを出力するように構成される、複数のバイオメトリックセンサおよびバイオメカニカルセンサを含むものであり、
前記健康監視サーバが、
前記従業員の前記バイオメトリック特性および前記バイオメカニカル特性を示す前記健康データを収集することと、
前記収集された健康データに基づいて、従業員健康プロファイルを判定することであって、前記従業員健康プロファイルは、前記従業員の健康特性、健康状態、および健康の危険性のうちの１つ以上を含む、判定することと、
前記従業員健康プロファイルに基づいて、前記従業員のための健康計画を生成することと、
前記従業員コンピュータに、前記従業員への表示のために、前記従業員健康プロファイルおよび前記従業員のための前記健康計画を含む、健康コンテンツを供給することと、を行うように構成されているものである、システム。
【請求項２】
前記収集された健康データに基づいて、従業員健康プロファイルを判定することは、前記収集された健康データを使用して、健康課題を予測することを含み、前記健康コンテンツは、前記健康コンテンツが前記従業員に表示される際に、前記従業員が、前記１つ以上の予測された健康課題を警告され、前記１つ以上の予測された健康課題が実際の健康課題へと発展する前に前記１つ以上の予測された健康課題に対処する機会を与えられるように、前記予測された１つ以上のさらなる健康課題を示すコンテンツを含む、請求項１に記載のシステム。
【請求項３】
前記従業員ワークステーションは、椅子を備え、前記複数のバイオメトリックセンサおよびバイオメカニカルセンサは、前記従業員ワークステーションの前記椅子に位置付けられる椅子パッドに配置され、前記従業員が前記椅子に着席している間に前記従業員の体温、体脂肪、および身体の位置を感知するように構成される、温度センサ、体脂肪センサ、および位置センサを備える、請求項１または２に記載のシステム。
【請求項４】
前記従業員ワークステーションは、フロアを備え、前記複数のバイオメトリックセンサおよびバイオメカニカルセンサは、フロアマットに配置され、前記従業員の足が前記フロアマット上に位置付けられている間に前記従業員の体温、体脂肪、および身体の位置を感知するように構成される、温度センサ、体脂肪センサ、および位置センサを備える、請求項１〜３のいずれか１項に記載のシステム。
【請求項５】
前記従業員ワークステーションは、コンピュータマウスを備え、前記複数のバイオメトリックセンサおよびバイオメカニカルセンサは、前記従業員ワークステーションの前記コンピュータマウスと一体化され、前記従業員が前記コンピュータマウスを使用している間に前記従業員の体温、血圧、および血液状態を感知するように構成される、温度センサ、血圧センサ、および血液状態センサを備える、請求項１〜４のいずれか１項に記載のシステム。
【請求項６】
前記収集された健康データを使用して、１つ以上の前記健康課題を予測することは、（ａ）前記収集された健康データに基づいて判定された前記従業員の前記健康プロファイル、および（ｂ）前記従業員の過去の健康特性に基づいて予測的分析を実施することを含む請求項２に記載のシステム。
【請求項７】
前記健康監視サーバが、
前記健康データに基づいて警告状態が存在するのか否かを判定することと、
警告状態が存在すると判定することに応答して、対応人員に対応する警告を送ることを無効とすること、または警告が送信されることを可能とすることを前記従業員に指示することと、
前記警告を送ることを無効とする選択を受けることに応答して、対応人員に前記警告を送らないことと、および、
前記警告を送ることを無効とする選択を受けないことに応答して、対応人員に前記警告を送ることと、を更に行うように構成されたものである請求項１〜６のいずれか１項に記載のシステム。
【請求項８】
前記健康監視サーバが、
前記健康データに基づいて警告状態が存在するのか否かを判定することであって、該健康データに基づいて警告状態が存在するのか否かを判定することは、
異常な健康特性または健康状態を含む健康プロファイルを含むのか否かを判定することと、
前記異常な健康特性または健康状態の判定に応答して、これらが、全体として、緊急事態の発生と一致するのか確認するために、これと他の特性または健康プロファイルの状態とを比較することと、
健康特性または健康状態が緊急事態の発生と一致するとの判定に応答して、警告状態が存在すると判定することと、
健康特性または健康状態が緊急事態の発生と一致しないとの判定に応答して、警告状態が存在しないと判定することと、を含み、
警告状態が存在すると判定することに応答して、対応人員に警告を提供することと、を更に行うように構成されたものである請求項１〜６のいずれか１項に記載のシステム。
【請求項９】
前記複数のバイオメトリックセンサおよびバイオメカニカルセンサは、
一連のバイオメトリックセンサであって、１つ以上の温度変換器と、１つ以上の力変換器と、一対以上の導電性接触部と、１つ以上の血圧変換器と、１つ以上の呼吸センサと、１つ以上のパルスオキシメーターと、のうちの少なくとも１つ以上を備え、前記従業員の体温を示す１つ以上の前記温度変換器によって出力される温度データと、従業員の体重を示す１つ以上の前記力変換器によって出力される力データと、前記従業員の体脂肪を示す１対以上の導電性接触部によって出力される抵抗データと、前記従業員の血圧を示す１つ以上の前記血圧変換器によって出力される血圧データと、前記従業員の呼吸数を示す１つ以上の前記呼吸センサによって出力される呼吸データと、前記従業員の血液酸素化を示す１つ以上の前記パルスオキシメーターによって出力される血液状態データと、を含むバイオメトリックセンサデータを出力するように構成される一連のバイオメトリックセンサと、
一連のバイオメカニカルセンサであって、１つ以上の温度変換器と、１つ以上の力変換器と、３次元映像データをキャプチャするように適合される１つ以上のカメラと、のうちの１つ以上を備え、前記従業員の身体の位置を示す１つ以上の前記温度変換器によって出力される温度データと、前記従業員の身体の位置を示す１つ以上の前記力変換器によって出力される力データと、前記従業員の身体の位置および眼の動きを示す３次元画像を含む１つ以上の前記カメラによって出力される画像データと、を含むバイオメカニカルセンサデータを出力するように構成される一連のバイオメカニカルセンサと、を含む請求項１〜８のいずれか１項に記載のシステム。
【請求項１０】
従業員が従業員ワークステーションに位置する間に、前記従業員の健康を監視するための、コンピュータにより実行される方法であって、
複数のバイオメトリックセンサおよびバイオメカニカルセンサが前記従業員のバイオメトリック特性およびバイオメカニカル特性を感知し、前記従業員の前記バイオメトリック特性および前記バイオメカニカル特性を示す対応する健康データを出力するように構成され、前記従業員ワークステーション全体にわたって配置された前記複数のバイオメトリックセンサおよびバイオメカニカルセンサから、前記従業員の前記バイオメトリック特性および前記バイオメカニカル特性を示す健康データを収集することと、
収集された前記健康データに基づく、健康特性、健康状態、および健康の危険性のうちの１つ以上を含み、前記従業員の前記健康プロファイルを判定することと、
少なくともある程度の前記健康プロファイルに基づいて、前記従業員のための健康計画を生成することと、
前記従業員に表示するために前記従業員ワークステーション内の前記従業員のコンピュータに、前記従業員の前記健康プロファイルおよび前記健康計画を含む健康コンテンツを提供することと、を含む方法。
【請求項１１】
収集された前記健康データに基づいて前記従業員の前記健康プロファイルを判定することは、収集された前記健康データを使用して１つ以上の健康課題を予測することを含み、
前記健康コンテンツは、前記従業員に対して前記健康コンテンツを表示する際に、前記従業員が１つ以上の健康課題を警告され、１つ以上の予測された健康課題が実際の健康課題に発展する前に１つ以上の予測された前記健康課題に対処する機会を与えられるように、予測された１つ以上の前記健康課題を示すコンテンツを含む、請求項１０に記載の方法。
【請求項１２】
前記複数のバイオメトリックセンサおよびバイオメカニカルセンサは、温度センサと、体脂肪センサと、位置センサとを備え、
前記複数のバイオメトリックセンサおよびバイオメカニカルセンサは、前記従業員ワークステーションにおける椅子に位置する椅子パッドに配置され、且つ、前記従業員が前記椅子に着席している間に、前記従業員の体温、体脂肪、および身体の位置を感知するように構成されている請求項１０または１１に記載の方法。
【請求項１３】
前記複数のバイオメトリックセンサおよびバイオメカニカルセンサは、温度センサと、体脂肪センサと、位置センサとを備え、
前記複数のバイオメトリックセンサおよびバイオメカニカルセンサは、フロアに位置するフロアマットに配置され、且つ前記従業員の足がフロアマット上に位置している間に前記従業員の体温、体脂肪、および身体の位置を感知するように構成されている請求項１０〜１２のいずれか１項に記載の方法。
【請求項１４】
前記従業員ワークステーションは、コンピュータマウスを備え、
前記複数のバイオメトリックセンサおよびバイオメカニカルセンサは、温度センサと、血圧センサと、血液状態センサとを備えると共に、前記従業員ワークステーションの前記コンピュータマウスと一体化され、且つ、前記従業員が前記コンピュータマウスを使用している間に前記従業員の体温、血圧、および血液状態を感知するように構成されている請求項１０〜１３のいずれか１項に記載の方法。
【請求項１５】
前記収集された健康データを使用して、前記健康課題を予測することは、（ａ）前記収集された健康データに基づいた前記従業員の前記健康プロファイル、および（ｂ）前記従業員の過去の健康特性に基づいて予測的分析を実施することを含む請求項１１に記載の方法。
【請求項１６】
前記健康データに基づいて警告状態が存在するのか否かを判定することと、
警告状態が存在すると判定することに応答して、対応人員に対応する警告を送ることを無効とすること、または警告を送信されることを可能とすることを前記従業員に指示することと、
警告を送ることを無効とする選択を受けることに応答して、対応人員に警告を送らないことと、
警告を送ること無効とする選択を受けないことに応答して、対応人員に警告を送ることと、を更に含む請求項１０〜１５のいずれか１項に記載の方法。
【請求項１７】
前記健康データに基づいて警告状態が存在するのか否かを判定することであって、
異常な健康特性または健康状態を含む健康プロファイルであるのか否かを判定することと、
前記異常な健康特性または健康状態の判定に応答して、これらが、全体として、緊急事態の発生と一致するのか確認するために、これと他の特性または健康プロファイルの状態とを比較することと、
健康特性または健康状態が緊急事態の発生と一致するとの判定に応答して、警告状態が存在すると判定することと、
健康特性または健康状態が緊急事態の発生と一致しないとの判定に応答して、警告状態が存在しないと判定することと、を含む前記健康データに基づいて警告状態が存在するのか否かを判定することと、
警告状態が存在すると判定することに応答して、対応人員に警告を提供することと、を更に含む請求項１０〜１５のいずれか１項に記載のシステム。
【請求項１８】
前記複数のバイオメトリックセンサおよびバイオメカニカルセンサは、
一連のバイオメトリックセンサであって、１つ以上の温度変換器と、１つ以上の力変換器と、一対以上の導電性接触部と、１つ以上の血圧変換器と、１つ以上の呼吸センサと、１つ以上のパルスオキシメーターと、のうちの１つ以上を備え、前記従業員の体温を示す１つ以上の前記体温変換器によって出力される温度データと、従業員の体重を示す１つ以上の前記力変換器によって出力される力データと、前記従業員の体脂肪を示す１対以上の導電性接触部によって出力される抵抗データと、前記従業員の血圧を示す１つ以上の前記血圧変換器によって出力される血圧データと、前記従業員の呼吸数を示す１つ以上の前記呼吸センサによって出力される呼吸データと、前記従業員の血液酸素化を示す１つ以上の前記パルスオキシメーターによって出力される血液状態データと、を含むバイオメトリックセンサデータを出力するように構成される一連のバイオメトリックセンサと、
一連のバイオメカニカルセンサであって、１つ以上の温度変換器と、１つ以上の力変換器と、３次元映像データをキャプチャするように適合される１つ以上のカメラと、のうちの１つ以上を備え、前記従業員の身体の位置を示す１つ以上の前記温度変換器によって出力される温度データと、前記従業員の身体の位置を示す１つ以上の前記力変換器によって出力される力データと、前記従業員の身体の位置および眼の動きを示す３次元画像を含む１つ以上のカメラによって出力される画像データと、を含むバイオメカニカルセンサデータを出力するように構成される一連のバイオメカニカルセンサと、を備える請求項１０〜１７のいずれか１項に記載の方法。
【請求項１９】
従業員がワークステーションで作業しているときに、前記従業員の健康を監視するのに使用するためのプログラム命令を含む、非一過性コンピュータ可読記憶媒体であって、
前記ワークステーションは、
フロアの上にフロアと並行に配置されるワークステーション表面、前記ワークステーション表面の上に位置付けられるコンピュータワークステーション、および座部および背部を有し前記ワークステーション表面に隣接して前記フロア上に配置される椅子を含むものであって、
前記コンピュータワークステーション、前記コンピュータワークステーションの前の前記ワークステーション表面、前記椅子が前記コンピュータワークステーションの前の前記ワークステーション表面に隣接して位置付けられるときの前記椅子、および前記コンピュータワークステーションの前の前記ワークステーション表面の下の前記フロアを含む領域であって前記ワークステーション内部に画定された試験ゾーンを有するものであり、
前記コンピュータプログラム命令は、コンピュータプロセッサによって実行可能であり、
前記ワークステーションに配置される、前記従業員の健康のバイオメトリック特性およびバイオメカニカル特性を検出するための、１組の健康センサを作動することであって、
前記健康センサは、前記従業員が前記従業員ワークステーションに位置する間に、前記従業員との少なくとも４つの接触点を介して健康データを収集するように構成される、バイオメトリックセンサおよびバイオメカニカルセンサを備え、第１の接触点は、前記試験ゾーンにおける前記フロア上に位置付けられるフロアマットを含み、第２の接触点は、前記ワーク表面上に位置付けられるコンピュータマウスを含み、第３の接触点は、前記椅子の前記座部および前記背部のうちの１つ以上を含み、第４の接触点は、前記従業員の前記眼および頭部を含むものであり、
前記１組の健康センサは、
通信ネットワークと通信状態にあり、１つ以上の温度変換器、１つ以上の力変換器、１対以上の導電性接触部、１つ以上の血圧変換器、１つ以上の呼吸センサ、および１つ以上のパルスオキシメーターのうちの少なくとも１つから構成される、１組のバイオメトリックセンサであって、前記従業員の体温を示す前記温度変換器のうちの１つ以上によって出力される温度データ、前記従業員の体重を示す前記力変換器のうちの１つ以上によって出力される力データ、前記従業員の体脂肪を示す導電性接触部の前記対のうちの１つ以上によって出力される抵抗データ、前記従業員の血圧を示す前記血圧変換器のうちの１つ以上によって出力される圧力データ、前記従業員の前記呼吸数を示す前記１つ以上の呼吸センサによって出力される呼吸データ、および前記従業員の血液酸素化を示す前記パルスオキシメーターのうちの１つ以上によって出力される血液状態データから構成される、バイオメトリックセンサデータを出力するように構成される、１組のバイオメトリックセンサ、ならびに
前記通信ネットワークと通信状態にあり、１つ以上の温度変換器、１つ以上の力変換器、および３次元映像データをキャプチャするように適合される１つ以上のカメラのうちの少なくとも１つから構成される、１組のバイオメカニカルセンサであって、前記従業員の身体の位置を示す前記温度変換器のうちの１つ以上によって出力される温度データ、前記従業員の前記身体の位置を示す前記力変換器のうちの１つ以上によって出力される力データ、および前記従業員の身体の位置と眼の動きとを示す３次元画像を含む前記カメラのうちの１つ以上によって出力される画像データから構成される、バイオメカニカルセンサデータを出力するように構成される、１組のバイオメカニカルセンサを備えたものであり、
前記フロアマットは、前記１つ以上の温度変換器、前記１つ以上の力変換器、および前記１対以上の導電性接触部のうちの少なくとも１つを備えたものであり、
前記コンピュータマウスは、前記１つ以上の温度変換器、前記１つ以上の血圧変換器、および前記１つ以上のパルスオキシメーターのうちの少なくとも１つを備えたものであり、
前記椅子は、前記椅子の前記座部および前記背部のうちの少なくとも１つに配置される、前記１つ以上の温度変換器、前記１つ以上の力変換器、および前記１対以上の導電性接触部のうちの少なくとも１つを備えたものであり、
前記カメラは、前記試験ゾーンの３次元映像データをキャプチャするように位置付けられるものである、１組の健康センサを作動すること、
前記従業員によって提供されるログイン認証を検証すること、
前記通信ネットワークを介して、前記１組のバイオメトリックセンサによって出力される前記バイオメトリックセンサデータおよび前記１組のバイオメカニカルセンサによって出力される前記バイオメカニカルデータを収集すること、
収集された前記バイオメトリックセンサデータおよび前記バイオメカニカルセンサデータを使用して、前記従業員の更新された健康プロファイルを判定すること、
前記従業員への表示のために、前記コンピュータワークステーションを介して、前記従業員の前記更新された健康プロファイルを供給すること、
データベースに記憶された前記健康情報を、前記従業員の前記更新された健康プロファイルを反映するように更新すること、の各ステップをもたらすものであり、
前記１組のバイオメトリックセンサによって出力される前記バイオメトリックセンサデータおよび前記１組のバイオメカニカルセンサによって出力される前記バイオメカニカルデータを収集することは、
前記１組のバイオメトリックセンサおよび前記１組のバイオメトリックセンサを作動して、前記従業員の健康試験を実施すること、
前記１組のバイオメトリックセンサおよび前記１組のバイオメトリックセンサを監視して、前記バイオメトリックセンサデータおよび前記バイオメカニカルセンサデータを収集すること、の各ステップを含むものであり、
収集された前記バイオメトリックセンサデータおよび前記バイオメカニカルセンサデータを使用して、前記従業員の更新された健康プロファイルを判定することは、
収集された前記バイオメトリックセンサデータを使用して、前記従業員の体温、体重、体脂肪、心拍数、血圧、呼吸数、および血液酸素化のうちの１つ以上を判定すること、
前記従業員が前記椅子に着席しているときの、前記頭部、胴体、腕、および足のうちの１つ以上の前記適正な配置からの前記従業員のずれを含む、姿勢分析、ならびに収集された前記バイオメカニカルセンサデータを使用した、前記眼の焦点、まばたきの速度、および瞳孔拡張のうちの１つ以上に基づく、眼精疲労のレベルの表示を含む、眼精疲労分析を判定すること、
前記従業員について判定された前記体温、前記体重、前記体脂肪、前記心拍数、前記血圧、前記呼吸数、前記血液酸素化、前記姿勢分析、および前記眼精疲労分析のうちの１つ以上に基づいて、前記従業員のための健康計画を判定すること、の各ステップを含むものであり、
前記更新された従業員健康プロファイルは、前記従業員について判定された前記体温、前記体重、前記体脂肪、前記心拍数、前記血圧、前記呼吸数、前記血液酸素化、前記姿勢分析、前記眼精疲労分析、および前記健康計画のうちの１つ以上を含むものである、非一過性コンピュータ可読記憶媒体。
【請求項２０】
コンピュータのプロセッサに請求項１０〜１８のいずれか一項に記載の方法を実行させる命令であって、前記プロセッサによって実行可能な命令を含む、非一過性コンピュータ可読記憶媒体。